(57)【要約】  自動分析装置は反応容器を設置可能である分析ポートと、反応容器を分析ポートへ移送する反応容器移送機構と、分析ポートに設置された反応容器に光を照射する光源と、光源から出射された光の一部を検出する検出器と、反応容器移送機構、光源および検出器を制御する制御部と、を備え、分析ポートの表面は、光源から出射された光の少なくとも一部を反射するように構成され、制御部は、反応容器移送機構が反応容器を分析ポートに移送する前の第１状態において、光源に光を照射させ、検出器にて光を検出し、反応容器移送機構が反応容器を分析ポートに移送した後の第２状態において、光源に光を照射させ、検出器にて光を検出し、第１状態において検出した光量と第２状態において検出した光量との差が基準値以下である場合に警告する。
2019073649.tif 000002
【特許請求の範囲】
【請求項１】
反応容器を設置可能である分析ポートと、
前記反応容器を前記分析ポートへ移送する反応容器移送機構と、
前記分析ポートに設置された前記反応容器に光を照射する光源と、
前記光源から出射された光の一部を検出する検出器と、
前記反応容器移送機構、前記光源および前記検出器を制御する制御部と、
を備える自動分析装置であって、
前記分析ポートの表面は、前記光源から出射された光の少なくとも一部を反射するように構成され、
前記光源と前記検出器とは、前記反応容器が前記分析ポートに設置されている場合と前記反応容器が前記分析ポートに設置されていない場合とで前記検出器が検出する前記光の強度が異なり、かつ、前記検出器が前記分析ポートの前記表面にて反射された光の一部を検出可能であるように配置され、
前記制御部は、
前記反応容器移送機構が前記反応容器を前記分析ポートに移送する前の第１状態において、前記光源に光を照射させ、前記検出器にて光を検出し、
前記反応容器移送機構が前記反応容器を前記分析ポートに移送した後の第２状態において、前記光源に光を照射させ、前記検出器にて光を検出し、
前記第１状態において検出した光量と前記第２状態において検出した光量との差が基準値以下である場合に警告する、
自動分析装置。
【請求項２】
請求項１に記載の自動分析装置において、
前記制御部は、前記第２状態において検出した光量が前記第１状態において検出した光量よりも小さい場合に警告する、
自動分析装置。
【請求項３】
請求項１に記載の自動分析装置において、
前記制御部は、前記光量の差が基準値以下である場合に、前記反応容器に対する以降の分析動作をスキップし、スキップした前記分析動作を再スケジューリングする、
自動分析装置。
【請求項４】
請求項１に記載の自動分析装置において、
前記制御部は、前記光量の差が基準値以下である場合に、前記分析ポートの使用を停止する、
自動分析装置。
【請求項５】
請求項１に記載の自動分析装置において、
前記第２状態において、前記反応容器は内部に液体を保持していない空の状態である、
自動分析装置。
【請求項６】
請求項１に記載の自動分析装置において、
前記第２状態において、
前記反応容器は内部に最終的な反応液の総量よりも少ない量の液体を保持し、
前記光源が出射する光の少なくとも一部は前記液体の液面よりも上部の空間に照射されている、
自動分析装置。
【請求項７】
請求項１に記載の自動分析装置において、
前記制御部は、予め実測して記憶された、
（１）前記反応容器が前記分析ポートに設置されていない第１の場合に前記光源に光を出射させ、前記検出器によって検出した光量、
（２）空の前記反応容器が前記分析ポートに設置されている第２の場合に前記光源に光を出射させ、前記検出器によって検出した光量、
（３）検体、希釈液または光を透過しない液体が分注済みの前記反応容器が前記分析ポートに設置されている第３の場合に前記光源に光を出射させ、前記検出器によって検出した光量、
の三つの光量のそれぞれに所定の幅を持たせた数値範囲と、前記検出した光量と、を比較して前記分析ポートの状態が前記第１の場合、前記第２の場合および前記第３の場合のいずれに当てはまるかを判定し、前記分析ポートの状態が予定された状態とは異なる場合に警告を発する、
自動分析装置。
【請求項８】
請求項１に記載の自動分析装置において、
前記第２状態において前記反応容器には検体が分注されており、
前記制御部は、
予め実測して記憶された、前記分析ポートに正常な検体または検体と希釈液とが分注された前記反応容器が設置されている状態で前記光源に光を出射させ前記検出器によって検出した光量と、前記第２状態において検出した光量との差が、前記分注された検体が異常検体であることを示す所定の値よりも大きい場合、分析結果の出力と併せて操作者に警告する、
自動分析装置。
【請求項９】
請求項１に記載の自動分析装置において、
前記分析ポートの表面は、検体または検体と希釈液とが分注された前記反応容器が設置された状態において、前記光源から照射された光の少なくとも一部を反射するように構成され、
前記制御部は、
前記反応容器に試薬が吐出される前に計測した光量が前記反応容器に試薬が吐出された後に計測した光量以下である場合、分析結果の出力と併せて操作者に警告する、
自動分析装置。
【請求項１０】
請求項１に記載の自動分析装置において、
前記分析ポートは、前記反応容器を挟んで前記光源と対向し、前記光源から照射された光を吸収する凹状の穴部を備え、
前記穴部の開口の最大径は、反応液が分注された前記反応容器が前記分析ポートに設置されている状態において、前記光源から照射された光のうち、前記反応容器を透過した光の照射範囲よりも大きく、前記分析ポートに前記反応容器が設置されていない状態において、前記光源から照射された光の照射範囲よりも小さい、
自動分析装置。
【請求項１１】
請求項１０に記載の自動分析装置において、
前記光源は、出射した光が前記反応容器内において略平行な光線となるように配置される、
自動分析装置。
【請求項１２】
請求項１１に記載の自動分析装置において、
前記光源と前記反応容器との間に、前記光源から出射された光の進行方向の範囲を調整する照射スリットを備え、
前記穴部の開口の前記最大径は、前記照射スリットの幅と略等しい、
自動分析装置。
【請求項１３】
反応容器を設置可能である分析ポートと、
前記反応容器を前記分析ポートへ移送する反応容器移送機構と、
前記分析ポートに設置された前記反応容器に光を照射する光源と、
前記光源から出射された光の一部を検出する検出器と、
前記反応容器移送機構、前記光源および前記検出器を制御する制御部と、
を備える自動分析装置が実行する反応容器の検出方法であって、
前記分析ポートの表面は、前記光源から出射された光の少なくとも一部を反射するように構成され、
前記光源と前記検出器とは、前記反応容器が前記分析ポートに設置されている場合と前記反応容器が前記分析ポートに設置されていない場合とで前記検出器が検出する前記光の強度が異なり、かつ、前記検出器が前記分析ポートの前記表面にて反射された光の一部を検出可能であるように配置され、
前記検出方法は、
前記制御部が、前記反応容器移送機構が前記反応容器を前記分析ポートに移送する前の第１状態において、前記光源に光を照射させ、前記検出器にて光を検出するステップと、
前記制御部が、前記反応容器移送機構が前記反応容器を前記分析ポートに移送した後の第２状態において、前記光源に光を照射させ、前記検出器にて光を検出するステップと、
前記制御部が、前記第１状態において検出した光量と前記第２状態において検出した光量との差が基準値以下である場合に警告するステップと、
を含む反応容器の検出方法。
【発明の詳細な説明】
【技術分野】
【０００１】
本開示は、血液や尿等の生体サンプルに含まれる成分を自動的に分析する自動分析装置に関する。
【背景技術】
【０００２】
血液等のサンプルに含まれる成分を分析する装置として、分析対象である、サンプルと試薬とを混合した反応液に光源からの光を照射し、単一または複数の波長の散乱光や透過光の光量を測定する自動分析装置が知られている。【０００３】
自動分析装置には、生化学検査や血液学検査の分野等で生体サンプル中の目的成分の定量または定性分析を行う生化学分析用の装置や、サンプルである血液の凝固能を測定する血液凝固分析用の装置等がある。【０００４】
これらのうち、血液の凝固能を測定するＰＴ、ＡＰＴＴ、フィブリノーゲンを代表とする凝固時間分析項目は、実際に検体と試薬とを混合させて検体を凝固させ、凝固反応の進行を光学的または物理的手法によって測定し、凝固時間を検査する項目である。凝固時間項目は実際に検体を反応容器において凝固させるため当該反応容器は使い捨てとなる。凝固時間を分析するには、分析部、サンプル分注機構、試薬分注機構に加え、検体あるいは試薬の分注を行う位置、分析部、および廃棄部へ反応容器を移送する反応容器移送機構が必要である。【０００５】
血液凝固自動分析装置の分析フローの種類としては、検体および試薬を予め分注した容器を分析部に移送するフローと、検体のみ分注した容器を分析部に移送してから試薬を分注するフロー、空の容器を分析部に移送してから検体および試薬を分注するフローなどが知られている。【０００６】
上記のような凝固反応を測定する自動分析装置においては、使い捨ての反応容器を用いるため、反応容器の検出部へ架設した際の有無検知を備えている場合がある。特許文献１には、反応容器有無検知機能を検出部の光検出機能と共通化した自動分析装置が開示されている。
【先行技術文献】
【特許文献】
【０００７】
【特許文献１】特開２０１４−１１９３２９号公報
【発明の概要】
【発明が解決しようとする課題】
【０００８】
臨床検査においては分析結果の正確性と装置の信頼性が求められる。特に、血液凝固自動分析装置は手術前など緊急性を要する場面で用いられることが多いため、信頼性の高い分析結果を早急に報告できることが要求される。中でも、緊急検体の場合、検体の投入から結果報告までの時間が非常に重要となり、装置の不具合による結果報告の遅延は最小限に抑える必要がある。【０００９】
また、凝固反応は検体と試薬との混合直後から始まり、短いものでは数秒で反応が終了するため、凝固反応の測定においては、検体と試薬との混合直後から測定を開始し、短いサンプリング間隔で測定を継続する必要がある。さらに、温度制御の精度は反応速度に影響を与え、したがって凝固時間分析の正確性や再現性に影響を与えるため、検体と試薬とを混合した時点から反応液は３７℃に限りなく近い温度を保つことが望ましい。【００１０】
上記二点については、予め分析部にセットして昇温した反応容器に対して昇温した検体と試薬とをプローブで分注する分析フロー、または、予め検体が分注された反応容器を分析部にセットして昇温した後、昇温した試薬をプローブで分注する分析フローを採用した場合、検体と試薬との混合直後から測定が開始でき、且つ、分析部およびプローブのみ温度制御すれば反応液の温度が安定した状態で測定を開始できることから、検体と試薬とを混合してから反応液を昇温する分析フローと比較して好ましいと言える。【００１１】
ただし、上記分注方式では、万一反応容器移送機構に不具合が発生して反応容器のセットに失敗し、かつそれを検出できなかった場合、光学部品や電子部品を含む分析部に検体や試薬を吐出してしまい、装置の重大な故障を引き起こすリスクがある。このリスクを低減するには、分析部に反応容器がセットされていることを検知するセンサを追加することが考えられるが、製造コストが上昇する。【００１２】
一方、検体と試薬とを予め分注した反応容器を移送機構で分析部にセットする方式の場合、分析部において光学部品や電子部品を含む分析部に検体や試薬を吐出するリスクはない。しかしながら、この方式の場合、検体および試薬の混合から反応容器のセット完了までの期間は測定ができないため、測定結果の信頼性が低下する。【００１３】
反応容器のセットを検出する上記の方法とは別に、特許文献１には、反応容器の下方から光を照射し、側方に散乱した光を検出することで凝固時間分析を行う血液凝固自動分析装置において、検体からの散乱光を検出する方法と、球状の反応容器の底面で反射した光を検出する方法の二つの方法により、反応容器が分析部にセットされたことを検出する技術が開示されている。【００１４】
しかしながら、特許文献１に記載された方法では、反応容器の側方から光を照射して側方に散乱した光を検出する方式の分析部において空の反応容器を検出することができない。そのため、特許文献１に記載された方法では、上述した種々の分析フローに広範に対応できる反応容器の検出手法にならない。また、特許文献１に記載された方法では、底面からの反射光を検出する場合には短いサンプリング間隔で測光を継続しなければならないため、回路およびソフトウェアの制約や処理が増大してコスト上昇を招く恐れがある。【００１５】
本開示は、上記の点に鑑みてなされたものであり、高精度に凝固反応時間の測定ができ、かつ、低コストで反応容器の設置状態を検出できる技術を提供する。
【課題を解決するための手段】
【００１６】
上記課題を解決するために、反応容器を設置可能である分析ポートと、前記反応容器を前記分析ポートへ移送する反応容器移送機構と、前記分析ポートに設置された前記反応容器に光を照射する光源と、前記光源から出射された光の一部を検出する検出器と、前記反応容器移送機構、前記光源および前記検出器を制御する制御部と、を備える自動分析装置であって、前記分析ポートの表面は、前記光源から出射された光の少なくとも一部を反射するように構成され、前記光源と前記検出器とは、前記反応容器が前記分析ポートに設置されている場合と前記反応容器が前記分析ポートに設置されていない場合とで前記検出器が検出する前記光の強度が異なり、かつ、前記検出器が前記分析ポートの前記表面にて反射された光の一部を検出可能であるように配置され、前記制御部は、前記反応容器移送機構が前記反応容器を前記分析ポートに移送する前の第１状態において、前記光源に光を照射させ、前記検出器にて光を検出し、前記反応容器移送機構が前記反応容器を前記分析ポートに移送した後の第２状態において、前記光源に光を照射させ、前記検出器にて光を検出し、前記第１状態において検出した光量と前記第２状態において検出した光量との差が基準値以下である場合に警告する、自動分析装置を提供する。【００１７】
また、反応容器を設置可能である分析ポートと、前記反応容器を前記分析ポートへ移送する反応容器移送機構と、前記分析ポートに設置された前記反応容器に光を照射する光源と、前記光源から出射された光の一部を検出する検出器と、前記反応容器移送機構、前記光源および前記検出器を制御する制御部と、を備える自動分析装置が実行する反応容器の検出方法であって、前記分析ポートの表面は、前記光源から出射された光の少なくとも一部を反射するように構成され、前記光源と前記検出器とは、前記反応容器が前記分析ポートに設置されている場合と前記反応容器が前記分析ポートに設置されていない場合とで前記検出器が検出する前記光の強度が異なり、かつ、前記検出器が前記分析ポートの前記表面にて反射された光の一部を検出可能であるように配置され、前記検出方法は、前記制御部が、前記反応容器移送機構が前記反応容器を前記分析ポートに移送する前の第１状態において、前記光源に光を照射させ、前記検出器にて光を検出するステップと、前記制御部が、前記反応容器移送機構が前記反応容器を前記分析ポートに移送した後の第２状態において、前記光源に光を照射させ、前記検出器にて光を検出するステップと、前記制御部が、前記第１状態において検出した光量と前記第２状態において検出した光量との差が基準値以下である場合に警告するステップと、を含む反応容器の検出方法を提供する。【００１８】
本明細書は本願の優先権の基礎となる日本国特許出願番号２０１７−１９６８１１号の開示内容を包含する。
【発明の効果】
【００１９】
本開示によれば、高精度に凝固反応時間の測定ができ、かつ、低コストで反応容器の設置状態を検出できる。上記以外の課題、構成および効果は、以下の実施の形態の説明により明らかにされる。
【図面の簡単な説明】
【００２０】
【図１】実施例１に係る自動分析装置の基本構成を示す図である。
【図２】血液凝固時間検出部の基本構成を示す図である。
【図３】血液凝固時間検出部の光学的構成の例を示す図である。
【図４】反応容器（血液凝固分析用）の設置チェック動作の一例を示すフローチャートである。
【図５】検体または希釈液等が分注された反応容器（血液凝固分析用）が分析ポートに設置されたか否かを検出する様子が示された図である。
【図６】実施例２に係る血液凝固時間検出部の光学的構成の例を示す図である。
【図７】実施例２に係る血液凝固時間検出部の光学的構成を示す図である。
【発明を実施するための形態】
【００２１】
以下、図面に基づいて、本開示の実施例を説明する。なお、本開示の実施例は、後述する実施例に限定されるものではなく、その技術思想の範囲において、種々の変形が可能である。また、後述する各実施例の説明に使用する各図の対応部分には同一の符号を付して示し、重複する説明を省略する。なお、実施例１〜６に係る自動分析装置は、共通のハードウェアの構成を有する。実施例７に係る自動分析装置は、分析ポートを挟んで光源に対して反対側に凹状の透過光吸収穴が設けられている点が実施例１〜６に係る自動分析装置とは異なる。また、実施例８に係る自動分析装置は、実施例１〜６に係る自動分析装置と比較して光源の位置が異なる。
【００２２】
＜実施例１＞
[装置の基本構成]
図１は、実施例１に係る自動分析装置１の基本構成を示す図である。ここでは、自動分析装置の一態様として、血液凝固時間分析ユニット２とターンテーブル方式の生化学分析部３とを備えた複合型の自動分析装置１の例について説明する。
【００２３】
本図に示すように、自動分析装置１は、その筐体上に反応ディスク１３、サンプルディスク１１、第１試薬ディスク１５、第２試薬ディスク１６、血液凝固時間分析ユニット２および光度計１９を備えている。
【００２４】
反応ディスク１３は、時計回りおよび反時計回りに回転自在なディスク状のユニットであって、反応容器（生化学分析用）２６をその円周上に複数個配置することができる。
【００２５】
サンプルディスク１１は、時計回りおよび反時計回りに回転自在なディスク状のユニットであって、標準サンプルや被検サンプル等のサンプルを収容するサンプル容器２７をその円周上に複数個配置することができる。
【００２６】
第１試薬ディスク１５および第２試薬ディスク１６のそれぞれは、時計回りおよび反時計回りに回転自在なディスク状のユニットであって、試薬を収容する試薬容器をその円周上に複数個配置できる。上記試薬は、サンプルに含まれる各検査項目の成分と反応する成分を含有する。なお、第１試薬ディスク１５および第２試薬ディスク１６は、保冷機構等を備えることにより、配置された試薬容器内の試薬を保冷可能に構成されることもできる。
【００２７】
サンプルディスク１１と反応ディスク１３との間にはサンプル分注プローブ１２が配置されている。サンプル分注プローブ１２を回転させることによって、サンプルディスク１１上のサンプル容器２７、反応ディスク１３上の反応容器（生化学分析用）２６、および血液凝固時間分析ユニット２のサンプル分注ポジション１８における反応容器（血液凝固分析用）２８においてサンプルの吸引および分注動作が可能である。
【００２８】
同様に、第１試薬ディスク１５と反応ディスク１３の間には第１試薬分注プローブ１７が、第２試薬ディスク１６と反応ディスク１３の間には第２試薬分注プローブ１４が配置されている。第１試薬分注プローブ１７および第２試薬分注プローブ１４のそれぞれを回転させることによって、反応ディスク１３上の反応容器（生化学分析用）２６と第１試薬ディスク１５および第２試薬ディスク１６上の試薬容器とにおいて吸引および分注動作が可能である。
【００２９】
血液凝固時間分析ユニット２は、主として、血液凝固時間検出部２１、血液凝固試薬分注プローブ２０、反応容器マガジン２５、反応容器移送機構２３、反応容器廃棄口２４から構成される。
【００３０】
次に、自動分析装置１に係る制御系および信号処理系について簡単に説明する。コンピュータ１０５は、インターフェース１０１を介して、サンプル分注制御部２０１、移送機構制御部２０２、Ａ/Ｄ変換器(２)２０３、血液凝固試薬分注制御部２０４、Ａ/Ｄ変換器(１)２０５、試薬分注制御部(１)２０６および試薬分注制御部(２)２０７に接続されており、各制御部に対して指令となる信号を送信する。
【００３１】
サンプル分注制御部２０１は、コンピュータ１０５から受けた指令に基づいて、サンプル分注プローブ１２によるサンプルの分注動作を制御する。
【００３２】
試薬分注制御部(１)２０６および試薬分注制御部(２)２０７は、コンピュータ１０５から受けた指令に基づいて、第１試薬分注プローブ１７および第２試薬分注プローブ１４による試薬の分注動作を制御する。
【００３３】
移送機構制御部２０２は、コンピュータ１０５から受けた指令に基づいて、反応容器移送機構２３による、反応容器マガジン２５、サンプル分注ポジション１８、血液凝固時間検出部２１の分析ポート３０４および反応容器廃棄口２４らの間における使い捨て反応容器（血液凝固分析用）２８の移送動作を制御する。
【００３４】
血液凝固試薬分注制御部２０４は、コンピュータ１０５から受けた指令に基づいて血液凝固試薬分注プローブ２０を動作させ、分析ポート３０４に設置された、サンプルを収容する反応容器（血液凝固分析用）２８に対して、血液凝固用の試薬の分注を行う。
【００３５】
また、血液凝固試薬分注制御部２０４は、血液凝固試薬分注プローブ２０を動作させ、反応容器（生化学分析用）２６内の、サンプルと血液凝固分析用の第１試薬との混合液である前処理液を、空の反応容器（血液凝固分析用）２８に対して分注する。この場合、血液凝固試薬分注制御部２０４は、前処理液を収容した反応容器（血液凝固分析用）２８に対して、血液凝固分析用の第２試薬の分注を後に行う。なお、血液凝固分析用の試薬は、第１試薬ディスク１５および第２試薬ディスク１６に配置されており、第１試薬分注プローブ１７および第２試薬分注プローブ１４によって、必要に応じて反応ディスク１３上の反応容器（生化学分析用）２６に一旦分注されたのち、血液凝固分析に用いられる。
【００３６】
Ａ/Ｄ変換器（１）２０５は、反応容器（生化学分析用）２６内の反応液を透過した透過光または反応液内において散乱した散乱光の測光値をデジタル信号に変換する。また、Ａ/Ｄ変換器（２）２０３は、使い捨ての反応容器（血液凝固分析用）２８内の反応液を透過した透過光または反応液内において散乱した散乱光の測光値をデジタル信号に変換する。上記デジタル信号は、コンピュータ１０５に取り込まれる。
【００３７】
インターフェース１０１には、測定結果をレポート等として出力する際に印字するためのプリンタ１０６、記憶装置であるメモリ１０４や外部出力メディア１０２、操作指令等を入力するためのキーボードなどの入力装置１０７、画面表示するための表示装置１０３が接続されている。表示装置１０３は、例えば液晶ディスプレイやＣＲＴディスプレイ等で構成される。
【００３８】
[生化学項目の分析手順]
自動分析装置１による生化学項目の分析は、次の手順で行われる。まず、操作者は、キーボード等の入力装置１０７を用いて各サンプルに対する検査項目を入力する。入力された検査項目についてサンプルを分析するために、サンプル分注プローブ１２は、分析パラメータにしたがってサンプル容器２７から反応容器（生化学分析用）２６へ所定量のサンプルを分注する。
【００３９】
サンプルが分注された反応容器（生化学分析用）２６は、反応ディスク１３の回転によって移送され、試薬受け入れ位置で停止される。第１試薬分注プローブ１７および第２試薬分注プローブ１４のピペットノズルは、該当する検査項目の分析パラメータにしたがって、反応容器（生化学分析用）２６に所定量の試薬液を分注する。サンプルと試薬の分注順序は、この例とは逆に、サンプルより試薬が先であってもよい。
【００４０】
その後、図示しない攪拌機構により、サンプルと試薬との攪拌が行われ、混合される。この反応容器（生化学分析用）２６が、測光位置を通過する際、光度計１９は、反応容器（生化学分析用）２６に収容されたサンプルと試薬との混合液である反応液の透過光または散乱光を測光する。測光された透過光または散乱光は、Ａ/Ｄ変換器（１）２０５により光量に比例した数値のデータに変換され、インターフェース１０１を経由して、コンピュータ１０５に取り込まれる。
【００４１】
上記変換された数値のデータを用い、検査項目毎に指定された分析法により予め測定しておいた検量線に基づき、成分濃度データが算出される。各検査項目の分析結果としての成分濃度データは、プリンタ１０６や表示装置１０３の画面に出力される。
【００４２】
以上の測定動作が実行される前に、操作者は、分析に必要な種々のパラメータの設定や試薬およびサンプルの登録を、表示装置１０３の操作画面を介して行う。また、操作者は、測定後の分析結果を表示装置１０３上の操作画面により確認する。
【００４３】
[血液凝固時間項目の分析手順]
また、自動分析装置１による血液凝固時間項目の分析は、主に次の手順で行われる。
まず、コンピュータ１０５はキーボード等の入力装置１０７を用いて各サンプルに対する検査項目の入力を受けつける。続いて、反応容器移送機構２３は、入力された検査項目についてサンプルを分析するために、使い捨ての反応容器（血液凝固分析用）２８を反応容器マガジン２５からサンプル分注ポジション１８へ移送する。サンプル分注プローブ１２は分析パラメータにしたがってサンプル容器２７から反応容器（血液凝固分析用）２８へ所定量のサンプルを分注する。
【００４４】
サンプルが分注された反応容器（血液凝固分析用）２８は、反応容器移送機構２３によって血液凝固時間検出部２１の分析ポート３０４へ移送され、所定の温度へ昇温される。
【００４５】
第１試薬分注プローブ１７は、該当する検査項目の分析パラメータにしたがって、反応ディスク１３上の反応容器（生化学分析用）２６に所定量の試薬液を分注する。反応ディスク１３には、図示しない恒温槽が設けられているため、反応容器（生化学分析）２６に分注された試薬液は３７℃に温められる。
【００４６】
その後、血液凝固試薬分注プローブ２０は反応容器（生化学分析用）２６に分注されている試薬を吸引し、血液凝固試薬分注プローブ２０内で、図示しない昇温機構により所定の温度に昇温した後、反応容器（血液凝固分析用）２８に吐出する。
【００４７】
試薬が吐出された時点から、反応容器（血液凝固分析用）２８に照射された光の透過光または散乱光の測光が開始される。測光された透過光または散乱光は、Ａ/Ｄ変換器（２）２０３により光量に比例した数値のデータに変換され、インターフェース１０１を経由して、コンピュータ１０５に取り込まれる。
【００４８】
コンピュータ１０５は、この変換された数値を用い、血液凝固反応に要した時間（以下、単に血液凝固時間ということがある）を求める。例えば、ＡＴＰＰ（活性化部分トロンボプラスチン時間）等の検査項目については、コンピュータ１０５は上述のようにして求めた血液凝固時間を分析結果として出力する。一方、Ｆｂｇ（フィブリノーゲン）等の検査項目については、コンピュータ１０５は、求めた血液凝固時間に対して、さらに、検査項目毎に指定された分析法により、予め測定しておいた検量線に基づいて成分濃度のデータを求め分析結果として出力する。各検査項目の分析結果としての血液凝固時間や成分濃度のデータは、プリンタ１０６や表示装置１０３の画面に出力される。
【００４９】
ここで、上記の測定動作が実行される前に、操作者は、分析に必要な種々のパラメータの設定や試薬、サンプルの登録を、表示装置１０３の操作画面を介して予め行う。コンピュータ１０５は、登録された種々のパラメータおよび分析手順に基づいて各検査項目を分析する。また、操作者は、測定後の分析結果を表示装置１０３上の操作画面により確認することができる。
【００５０】
また、サンプル分注プローブ１２によって吐出されるサンプルの吐出先は反応容器（生化学分析用）２６であってもよい。この場合、上述したように予め反応容器（生化学分析用）２６内でサンプルを前処理液と反応させたのちに、血液凝固試薬分注プローブ２０によって、反応容器（血液凝固分析用）２８に分注することもできる。
【００５１】
反応容器（血液凝固分析用）２８においては、反応容器（血液凝固分析用）２８に先に収容されているサンプルに対して、吐出攪拌と呼ばれる撹拌が行われる。ここで吐出撹拌とは、試薬が吐出されたときの勢いによって、反応容器（血液凝固分析用）２８内におけるサンプルと試薬との混合を行う手法である。サンプルおよび試薬の分注順序は、この例とは逆に、サンプルより試薬の方が先であってもよく、この場合はサンプルが吐出されたときの勢いによって、試薬との混合を行うことができる。
【００５２】
[血液凝固時間検出部の構造] 
次に、血液凝固時間検出部２１について簡単に説明する。血液凝固時間検出部２１は、使い捨ての反応容器（血液凝固分析用）２８を設置可能な１つまたは複数の分析ポート３０４において、光源３０２と検出器３０３とを有し、反応容器（血液凝固分析用）２８内の反応液に照射された光の散乱光または前記分析ポートの表面で反射した反射光の強度を検出することができる。
【００５３】
血液凝固試薬分注プローブ２０は、反応ディスク１３上の反応容器（生化学分析用）２６に収容された試薬の吸引動作、および、血液凝固時間検出部２１に設置された反応容器（血液凝固分析用）２８への分注動作を行う。
【００５４】
反応容器マガジン２５は、複数の使い捨ての反応容器（血液凝固分析用）２８を整列して設置するために使われる。サンプル分注ポジション１８は、サンプルディスク１１に設置された分析対象のサンプルを、反応容器（血液凝固分析用）２８に分注するために設けられている。ここで、反応容器（血液凝固分析用）２８は反応容器移送機構２３によって反応容器マガジン２５から移送される。
【００５５】
図２は、血液凝固時間検出部２１の基本構成を示す図である。具体的には、図２には、分析ポート３０４における反応容器（血液凝固分析用）２８と光源３０２と検出器３０３との配置構成が示されている。
【００５６】
図２（ａ）は、光源３０２および検出器３０３の配置構成を上面から見た場合の上面断面図であり、図２（ｂ）は、同配置構成を正面から見た場合の正面断面図である。なお、図２（ｂ）では、反応容器（血液凝固分析用）２８が分析ポート３０４に収められる前の状態が描かれている。
【００５７】
血液凝固時間検出部２１は、上述のとおり、光源３０２、検出器３０３を含み、上面から使い捨ての反応容器（血液凝固分析用）２８を設置できる分析ポート３０４を１つないし複数備えている。
【００５８】
検出器３０３は、光源３０２から反応容器（血液凝固分析用）２８内の反応液に照射された光（照射光３０６）の散乱光３０５を検出できるように、反応容器（血液凝固分析用）２８の側面に配置されている。そして、光源３０２と反応容器（血液凝固分析用）２８との間には、照射光３０６の照射範囲を調節する照射スリット３０７が設けられ、反応容器（血液凝固分析用）２８と検出器３０３との間には、散乱光３０５の範囲を調節する受光スリット３０８が設けられる。
【００５９】
[反応容器の検出方法]
図３は、血液凝固時間検出部２１の光学的構成の例を示す図である。
図３(ａ)は、空の反応容器(血液凝固分析用)２８が分析ポート３０４に設置されている場合の光の経路を示す。光源３０２から照射された光は、反応容器（血液凝固分析用）２８に入射する際および反応容器（血液凝固分析用）２８から出射する際に屈折し、僅かに反射するように表面処理された分析ポート３０４の内側の壁面に当たる。壁面に当たった光の多くは吸収されるが、一部は拡散反射して検出器３０３に入射する。
【００６０】
図３(ｂ)は、反応容器(血液凝固分析用)２８が分析ポート３０４に設置されていない場合の光線を示す。本図に示すように、反応容器（血液凝固分析用）２８が設置されていない場合には、上述した光の屈折が起きないため、反応容器（血液凝固分析用）２８が設置された場合と比較して、光源３０２から照射された光が分析ポート３０４の壁面に当たる範囲は狭くなる。このとき、分析ポート３０４の壁面にて拡散反射した光の一部は検出器３０３に入射するが、空の反応容器(血液凝固分析用)２８が設置されている場合よりも検出器３０３が検出する光量は小さくなる。
【００６１】
したがって、分析ポート３０４に反応容器（血液凝固分析用）２８が設置されていない状態での検出器３０３の出力と、空の反応容器(血液凝固分析用)２８が設置されている状態での検出器３０３の出力を比較することにより、空の反応容器(血液凝固分析用)２８が分析ポート３０４に設置されているかどうかを判別することができる。
【００６２】
具体的には、コンピュータ１０５は、空の反応容器(血液凝固分析用)２８が設置されている場合に測定した光量と設置されていない場合に測定した光量との差分が基準値以上の場合には反応容器(血液凝固分析用)２８の設置が正常に行われたと判定する。一方、コンピュータ１０５は、上記差分が基準値未満の場合には反応容器(血液凝固分析用)２８の設置に失敗したと判定する。ここで、上記基準値は、例えば、分析ポート３０４の表面処理の度合いに応じて適宜実験によって決定される値である。また、コンピュータ１０５は、反応容器(血液凝固分析用)２８の設置後の光量が設置前の光量を下回った場合に、反応容器（血液凝固分析用）２８が正しく設置できなかったと判定してもよい。
【００６３】
反応容器（血液凝固分析用）２８の設置が失敗する原因としては、反応容器（血液凝固分析用）２８を移送する機構の位置の調整不良や、反応容器移送機構２３の故障により位置決め精度が低下している場合などが考えられる。なお、上記のとおり、反応容器（血液凝固分析用）２８の設置が失敗している場合は、検出器３０３が検出する光量が、分析ポート３０４に反応容器（血液凝固分析用）２８が設置されていない際に検出器３０３が検出した光量よりも大きくならない。
【００６４】
図４は、反応容器（血液凝固分析用）２８の設置チェック動作の一例を示すフローチャートである。図４を用いて、上述した構成における、光量チェック動作と、これに基づく分析ポートのマスキング動作の方法について説明する。
【００６５】
まず、自動分析装置１は入力装置１０７が分析動作の開始を指示する入力を受けつける(Ｓ４０１)。次に自動分析装置１が各機構のリセット動作(Ｓ４０２)を行った後、前回の分析に使用した反応容器（血液凝固分析用）２８の廃棄動作(Ｓ４０３)を行う。
【００６６】
次に、コンピュータ１０５は、光源３０２を点灯させ、かつ反応容器（血液凝固分析用）２８が分析ポート３０４に設置されていない状態で検出器３０３による測光を行う（Ｓ４０４）。ここで検出器３０３が受光する光は、分析ポート３０４の壁面にて拡散反射した光である。
【００６７】
次に、反応容器移送機構２３が空の反応容器（血液凝固分析用）２８を分析ポート３０４に設置し（Ｓ４０５）、検出器３０３が測光する(Ｓ４０６)。ここで検出器３０３が受光する光は、反応容器（血液凝固分析用）２８を透過し、かつ、分析ポート３０４の壁面にて拡散反射した光である。測光の結果、反応容器（血液凝固分析用）２８の設置前後の光量の差分が基準値以上であれば（Ｓ４０７においてＹＥＳ）、当該分析ポート３０４を使用して反応容器（血液凝固分析用）２８に検体分注および試薬分注を行い(Ｓ４１０)、反応容器（血液凝固分析用）２８内に分注されたサンプルと試薬との混合液である反応液に対して分析動作を実行する（Ｓ４１１）。コンピュータ１０５は、分析が終了次第、結果を報告し(Ｓ４１２)、次の分析があるかどうかを判断する（Ｓ４１３）。ここで、次の分析がある場合（Ｓ４１３においてＹＥＳ）、処理はステップＳ４０３に戻り、反応容器廃棄動作(Ｓ４０３)以降のステップが繰り返される。次の分析がない場合（Ｓ４１３においてＮＯ）、コンピュータ１０５は反応容器（血液凝固分析用）２８の設置動作を終了する。
【００６８】
一方、ステップＳ４０７にて光量の差分が基準値未満であった場合（Ｓ４０７においてＮＯ）、上述のとおり、反応容器（血液凝固分析用）２８の設置失敗が起きた可能性が考えられる。このため、コンピュータ１０５は、警告（例えば、アラーム音または画面表示）を発生して操作者に知らせる(Ｓ４０８）と共に、１つの分析ポート３０４に対する調整不良を想定して当該分析ポート３０４をマスク(Ｓ４０９)して使用しないように制御し、別の分析ポートを使用してステップＳ４０３以降の動作を実施する。即ち、反応容器移送機構２３が、マスクされた分析ポート３０４以外の分析ポートに反応容器（血液凝固分析用）２８を設置し、コンピュータ１０５はステップＳ４０３以降の動作を実施する。
【００６９】
上記の動作により、分析の実行毎に反応容器（血液凝固分析用）２８が正しく設置できたかどうかを判定することができるため、分析ポート３０４内部に検体や試薬を吐出してしまうことによる故障および緊急メンテナンス、あるいは分析失敗による再検による報告の遅延リスクを低減することができる。
【００７０】
＜実施例２＞
上述した実施例１では、反応容器（血液凝固分析用）２８の設置前後の光量差が基準値を下回った場合、または、設置後の光量が設置前の光量を下回った場合に、反応容器（血液凝固分析用）２８が正しく設置できなかったとコンピュータ１０５が判定した。
【００７１】
しかしながら、たとえ反応容器（血液凝固分析用）２８が正しく分析ポート３０４に設置されていたとしても、例えば、反応容器（血液凝固分析用）２８に傷や汚れがあって光が遮られている、または反応容器内（血液凝固分析用）２８に異物が入っていて光を遮っている場合、検出器３０３が検出する光の強度は変化する。
【００７２】
それ故、コンピュータ１０５は、反応容器（血液凝固分析用）２８の設置前後の光量差が基準値を下回った場合、または、設置後の光量が設置前の光量を下回った場合に、反応容器（血液凝固分析用）２８が使用できないと判断してもよい。ここで、反応容器（血液凝固分析用）２８が分析ポート３０４に正しく設置されていないと判断する基準値と反応容器（血液凝固分析用）２８が汚れていると判断する基準値とは同一であってもよく異なっていてもよい。これらの基準値は適宜実験によって状況を正しく反映する値が決定される。
【００７３】
反応容器（血液凝固分析用）２８の設置前後の光量差が、反応容器（血液凝固分析用）２８が汚れていると判断する基準値を下回った場合、コンピュータ１０５は、警告して操作者に知らせると共に、検体分注動作、試薬分注動作、分析動作および結果報告をスキップして当該反応容器（血液凝固分析用）２８を使用しないようにし、当該分析を再スケジューリングして、次の分析動作へ移行する機能を備えることができる。これにより、反応容器（血液凝固分析用）２８の異常による結果の誤報告を防止でき、また、自動的に再スケジューリングすることにより分析失敗による報告の遅延を最小限に抑えることができ、検査業務の信頼性を向上することができる。
【００７４】
＜実施例３＞
実施例１の説明では、コンピュータ１０５は、空の反応容器（血液凝固分析用）２８が分析ポート３０４に設置される前と設置された後の光量の差を測定することにより、反応容器（血液凝固分析用）２８が分析ポート３０４に正しく設置されたか否かを判定した。
【００７５】
しかしながら、上述のとおり、反応容器移送機構２３は、空の反応容器（血液凝固分析用）２８のみならず、検体または希釈液が分注済みの反応容器（血液凝固分析用）２８を分析ポート３０４に設置する場合もある。即ち、反応容器（血液凝固分析用）２８が内部に最終的な反応液の総量よりも少ない量の液体を保持している場合である。
【００７６】
その場合、コンピュータ１０５は、検体または希釈液等が反応容器（血液凝固分析用）２８に分注済みであっても、反応容器（血液凝固分析用）２８の設置前後の光量差が基準値以上であれば、反応容器（血液凝固分析用）２８が正常に設置されたと判定してもよい。
【００７７】
図５は、検体または希釈液等が分注された反応容器（血液凝固分析用）２８が分析ポート３０４に設置されたか否かを検出する様子が示された図である。図５(ａ)に示されているように、照射スリット３０７および受光スリット３０８を、検体や希釈液が分注された液面よりも上にかかる高さに設置すると、図３(ａ)と同様に、液面より上に照射された光は分析ポート３０４の広い範囲の内側壁面に当たることになり、当該壁面にて拡散反射した光は検出器３０３に入射する。換言すると、光源３０２が出射する光の少なくとも一部は液体の液面よりも上部の空間に照射されている。
【００７８】
一方、液面より下に照射された光は、図５(ｂ)に示されているように、反応容器で屈折して、狭い範囲の壁面に照射される。ここで反応容器（血液凝固分析用）２８の屈折率と分注された液体の屈折率とは近い値であるため、反応容器（血液凝固分析用）２８と液体の境界面で光はさほど屈折しない。それ故、検出器３０３の位置を適切に設定することにより、液面より下に照射された光は拡散反射してもほとんど検出器３０３に入射しない。
【００７９】
ここで、分析ポート３０４の壁面の表面処理は、液面より上を通って検出器３０３に入射する光量が、反応容器（血液凝固分析用）２８が設置されていない場合の検出器３０３への入射光量よりも大きくなるように制御される。このようにすると、仮に液が全く光を透過しない場合であっても、反応容器（血液凝固分析用）２８の設置前後の光量差の比較によって反応容器（血液凝固分析用）２８の設置が正常に行われたかどうかを判定することができる。また、実際の検体や希釈液が分注されている場合には透過率が０の液体が分注されている場合より大きな光量が検出器３０３に入射することになり、反応容器（血液凝固分析用）２８の設置前後の光量差の比較によって反応容器（血液凝固分析用）２８の設置が正常に行われたかどうかを判定することができる。
【００８０】
なお、反応容器（血液凝固分析用）２８に検体または希釈液が分注済みである場合、反応容器（血液凝固分析用）２８が空である場合と比較して光の散乱強度が異なるため、光量差の基準値は実施例１の説明で記された基準値とは異なる基準値に設定してもよい。このようにすると、分析ポート３０４の壁面の表面処理を変更せずとも反応容器（血液凝固分析用）２８の設置が正常に行われたかどうかを判定することができる。すなわち、ハードウェアの変更をせずともソフトウェア上で数値を変更することによって反応容器（血液凝固分析用）２８の設置が正常に行われたかどうかを判定することができる。
【００８１】
＜実施例４＞
実施例１の説明では反応容器（血液凝固分析用）２８の設置前後の光量を比較することにより、反応容器（血液凝固分析用）２８が分析ポート３０４に正しく設置されたか否かを判定した。この手法によれば、分析ポート３０４および光源３０２等の個体差や劣化に影響されることなく判定が実施可能であった。しかしながら、予め各分析ポート３０４に対してキャリブレーションを行うことにより、反応容器（血液凝固分析用）２８の設置前の光量測定(図４  Ｓ４０４)を実施しなくても、部品の個体差に影響されずに判定を行うことが可能である。
【００８２】
具体的には、反応容器（血液凝固分析用）２８が設置されていない場合、空の反応容器（血液凝固分析用）２８が設置されている場合、および、検体または希釈液(または光を透過しない液体)が分注済みの反応容器（血液凝固分析用）２８が設置されている場合の三つの場合について光量を予め測定し、記憶する。コンピュータ１０５は、上記三つの光量のそれぞれに所定の幅を持たせた数値範囲と、反応容器（血液凝固分析用）２８の設置後に検出した光量の値と、を比較して分析ポート３０４の状態が上記第１の場合、第２の場合および第３の場合のいずれに当てはまるかを判定し、分析ポート３０４の状態が予定された状態とは異なる場合に警告を発する。ここで、上記所定の幅は、例えば、検体の種類およびその分注量を変化させた際に変化しうる光量の幅の最大値である。また、「予定された状態」とは、例えば、コンピュータ１０５に登録された処理手順に照らしてあるべき状態を指す。
【００８３】
コンピュータ１０５は、例えば、空の反応容器（血液凝固分析用）２８を設置する動作フローが予定されていたか、あるいは、検体または希釈液が分注済みの反応容器（血液凝固分析用）２８を設置する動作フローが予定されていたかに基づいて、反応容器（血液凝固分析用）２８が正しく設置できていないと判定するか、空の反応容器（血液凝固分析用）２８を設置したはずが何らかの液体が入っていると判定するか、または上記三つのパターンのいずれよりも光量が低く、反応容器（血液凝固分析用）２８内に異物があると判定し、当該反応容器（血液凝固分析用）２８に対する分析動作をスキップする信号を出力する。
【００８４】
上記方法によれば、反応容器（血液凝固分析用）２８の設置前の測光をなくすことができ、オペレーション動作を簡素化できる他、部品の個体差を補正できることから判定の信頼性が向上する。
【００８５】
＜実施例５＞
上述した変形例２の方法において、検体または検体と希釈液とを分注した反応容器（血液凝固分析用）２８を設置した後に検出した光量が、正常な検体が分注された反応容器（血液凝固分析用）２８が正常に設置された際に検出した光量と比べて所定の値よりも大きい場合、反応容器（血液凝固分析用）２８に分注された検体が乳び検体と呼ばれる濁度の大きい検体である可能性が高い。上記の場合、コンピュータ１０５は、分析結果の出力にアラームをつけてオペレータに知らせてもよい。
【００８６】
反応容器（血液凝固分析用）２８に乳び検体が分注されていると、乳び検体は濁度が高いことから散乱光の計測にノイズ成分が増えるため、反応過程の乱れや光量変化の減衰が発生し、分析結果の信頼性が低くなる。したがって、これをオペレータに知らせることによって分析結果を精査することを促せるので、検査業務の信頼性を高めることができる。
【００８７】
なお、反応容器（血液凝固分析用）２８に分注された検体が乳び検体であるとみなすための光量のしきい値は、変形例３に記載のキャリブレーションと組み合わせて、正常な検体が予め分注されている場合の光量を記憶することによって決定でき、判定の精度を高めることができる。
【００８８】
＜実施例６＞
上述した実施例１、３、４の方法において、コンピュータ１０５は、反応容器（血液凝固分析用）２８設置後の光量と試薬分注後の光量とを比較して、反応容器（血液凝固分析用）２８設置後(試薬分注前)の光量の方が小さいか同程度である場合、試薬分注が正常に行われなかったとみなして分析結果にアラームを付加し、オペレータに知らせることができる。換言すると、コンピュータ１０５は、反応容器（血液凝固分析用）２８に試薬が吐出される前に計測した光量が反応容器（血液凝固分析用）２８に試薬が吐出された後に計測した光量以下である場合、分析結果の出力と併せて操作者に警告することができる。
【００８９】
この際、分析ポート３０４の表面は、検体または検体と希釈液とが分注された反応容器（血液凝固分析用）２８が設置された状態において、光源３０２から照射された光の少なくとも一部を反射するように構成される。試薬分注後は照射光が全て液面の下を通るように設計すれば、試薬分注前には図５(ａ)のように液面の上を通る光が分析ポート３０４の壁面で拡散反射して検出器３０３に入射するが、試薬分注後には照射光は全て図５(ｂ)のように屈折して狭い範囲に照射されるため、検出器３０３に入射する光は減少し、反応液での散乱光だけになる。
【００９０】
これにより、試薬分注が正常に行われたかどうかを追加判定することで、反応容器移送機構２３の動作チェックに加えて試薬分注機構の動作チェックも可能になり、信頼性を高めることができる。
【００９１】
＜実施例７＞
図６は、実施例２に係る血液凝固時間検出部２１の光学的構成の上面図である。実施例２に係る血液凝固時間検出部２１は、実施例１の血液凝固時間検出部２１において、さらに、分析ポート３０４を挟んで光源３０２に対して反対側に凹状の透過光吸収穴３１０が設けられた構成である。
【００９２】
ここで、透過光吸収穴３１０は、図６（ｂ）に示されているように、分析ポート３０４に反応容器（血液凝固分析用）２８が配置されていない場合において、光源３０２から照射された光のうち、分析ポート３０４の内壁に衝突、反射することなく通過した光３１１が到達する位置に配置される。なお、検出器３０３の位置は、実施例１と同様に、照射された光のうち、分析ポート３０４の内壁に衝突して反射した光３１２が検出器３０３の受光スリット３０８内に含まれるように構成される。
【００９３】
さらに、図６（ａ）に示すように、透過光吸収穴３１０は、分析ポート３０４に反応容器（血液凝固分析用）２８が配置されている場合には、光源３０２から照射され、反応液が入った反応容器２８を透過した光３０９の照射範囲Ａよりも大きい。そして、図６（ｂ）に示すように、分析ポート３０４に反応容器（血液凝固分析用）２８が配置されていない場合には、透過光吸収穴３１０は、光源３０２から照射された光の照射範囲Ｂよりも小さい。
【００９４】
これにより、分析動作中といった、分析ポート３０４に反応液が入った反応容器（血液凝固分析用）２８が配置されている場合（図６（ａ）に示された場合）においては、反応容器（血液凝固分析用）２８を透過した光３０９が透過光吸収穴３１０に入り、透過光吸収穴３１０の内面で反射または吸収を繰り返して光の強度が減衰することによって、反応容器（血液凝固分析用）２８側に反射して戻る光が低減する。そのため、分析のために測定すべき散乱光量が不正確となるのを防ぐことができる。
【００９５】
さらに、分析ポート３０４に反応容器（血液凝固分析用）２８が配置されていない場合（図６（ｂ）に示された場合）には、上述した光の照射範囲Ｂのうち、透過光吸収穴３１０の範囲外に照射された光が分析ポート３０４の内壁に当たり、反射することにより、発生した反射光３１２が検出器３０３に入射する。
【００９６】
図７は、実施例２に係る血液凝固時間検出部２１の光学的構成を示す図（図６におけるＸ−Ｘ’面からの断面図）である。図７（ａ）に示すように、分析ポート３０４に反応容器（血液凝固分析用）２８が配置されている場合において、反応容器（血液凝固分析用）２８に入射する光の鉛直方向の屈折が小さく、血液凝固時間の分析動作中にも分析ポート３０４の壁面にて光が反射される。しかしながら、配置構成上、分析ポート３０４の壁面にて反射した光は検出器３０３に入射しない位置関係となるため、検出器３０３が検出した光量の値から求められる分析結果には影響を及ぼさない。
【００９７】
また、分析ポート３０４の壁面にて反射した光の一部は、反応容器（血液凝固分析用）２８に収容された反応液中で散乱して散乱光を生じるが、配置構成上、当該散乱光の大部分は検出器３０３に入射しない位置関係であり、血液凝固時間の分析動作および分析結果への影響は無視できる。
【００９８】
換言すると、分析ポート３０４の壁面における光の反射に起因して生じる光を、検出器３０３はほとんど検出することがないので、血液凝固時間の分析のために検出すべき光、すなわち反応容器（血液凝固分析用）２８に収容されるサンプルと試薬との混合液である反応液中の目的成分を見積もるための光を正確にかつ効率良く検出することができる。
【００９９】
一方、図７（ｂ）に示すように、分析ポート３０４に反応容器（血液凝固分析用）２８が配置されていない場合にも、鉛直方向において、光源３０２から照射された光が分析ポート３０４の壁面に反射しても、配置構成上、この反射した光は検出器３０３に入射しない。
【０１００】
このことから、上述の構成のように、透過光吸収穴３１０を備えることにより、反応容器（血液凝固分析用）２８の設置確認のために反応容器（血液凝固分析用）２８を分析ポート３０４に配置しない状態、あるいは反応容器（血液凝固分析用）２８が空の状態で測光を実行する際には、光源３０２から照射された光のうち、分析ポート３０４の壁面にて反射して生じた光を検出器３０３によって検出することができ、一方血液凝固時間の分析動作時には、検出器３０３はこれらの反射光を検出することなく、目的成分の分析に必要な散乱光量を正確に検出することができる。
【０１０１】
＜実施例８＞
実施例２の構成において、図６（ａ）に示すように反応容器（血液凝固分析用）２８の上面から見た照射光が、反応容器（血液凝固分析用）２８内で略平行となる位置に光源３０２を配置し、さらに、照射スリット３０７の幅と透過光吸収穴３１０の直径または最大径とが略等しくなるように構成することができる（図示せず）。すなわち、反応容器（血液凝固分析用）２８がレンズに相当すると考えた場合に、焦点の位置に光源３０２を配置することにより、反応容器（血液凝固分析用）２８内を通る光が平行となる。
【０１０２】
この構成により、より確実に、反応容器（血液凝固分析用）２８が分析ポート３０４に配置されていない場合の光の照射範囲を、透過光吸収穴３１０よりも大きく、反応液を収容した反応容器（血液凝固分析用）２８が分析ポート３０４に配置されている場合の光の照射範囲を、透過光吸収穴３１０よりも小さくすることができる。そのため、血液凝固時間の分析動作時に検出器３０３が測定する光量への影響を低減しつつ、反応容器（血液凝固分析用）２８の設置確認を正確に実施できる。
【０１０３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、ある実施例の構成に他の実施例の構成を加えることも可能である。また、各実施例の構成の一部について、他の構成の追加・削除・置換をすることが可能である。さらに、本明細書で引用した全ての刊行物、特許文献はそのまま引用により本明細書に組み入れられるものとする。
【符号の説明】
【０１０４】
１…自動分析装置、２…血液凝固時間分析ユニット、３…生化学分析部
１１…サンプルディスク、１２…サンプル分注プローブ、１３…反応ディスク
１４…第２試薬分注プローブ、１５…第１試薬ディスク、１６…第２試薬ディスク、１７…第１試薬分注プローブ、１８…サンプル分注ポジション、１９…光度計、２０…血液凝固試薬分注プローブ、２１…血液凝固時間検出部、２３…反応容器移送機構、２４…反応容器廃棄、２５…反応容器マガジン、２６…反応容器（生化学分析用）、２７…サンプル容器、２８…反応容器（血液凝固分析用）
１０１…インターフェース、１０２…外部出力メディア、１０３…表示装置
１０４…メモリ、１０５…コンピュータ、１０６…プリンタ、１０７…入力装置
２０１…サンプル分注制御部、２０２…移送機構制御部
２０３…Ａ/Ｄ変換器（２）、２０４…血液凝固試薬分注制御部
２０５…Ａ/Ｄ変換器（１）、２０６…試薬分注制御部（１）、２０７…試薬分注制御部（２）
３０２…光源、３０３…検出器、３０４…分析ポート、３０５…散乱光
３０６…照射光、３０７…照射スリット、３０８…受光スリット、３０９…透過光、３１０…透過光吸収穴
【図１】
2019073649.tif 000003
【図２】
2019073649.tif 000004
【図３】
2019073649.tif 000005
【図４】
2019073649.tif 000006
【図５】
2019073649.tif 000007
【図６】
2019073649.tif 000008
【図７】
2019073649.tif 000009
【国際調査報告】
2019073649.tif 000010
2019073649.tif 000011
2019073649.tif 000012
2019073649.tif 000013